【事件の表示】
　平成　９年特許願第２３１２７０号「風呂装置」拒絶査定に対する審判事件［平成１０年　３月３１日出願公開、特開平１０−　８２５５９］について、次のとおり審決する。
【結　論】
　本件審判の請求は、成り立たない。
【理　由】
１．手続の経緯・本願発明
　本願は、平成５年６月４に出願した特願昭５−１３４４５６号の一部を平成９年８月２７日に新たな特許出願としたものであって、その請求項１に係る発明は、平成１５年６月２７日付けの手続補正書によって補正された特許請求の範囲の請求項１に記載された次のとおりのものと認める（以下、「本願発明」という。）。
　
「 浴槽内の湯を追焚によって加熱する風呂装置であって、
　前記浴槽内の湯水をバーナの燃焼により加熱する熱交換器と、
　この熱交換器と前記浴槽とを連結する循環路と、
　この循環路に設けられて前記浴槽内の湯を前記熱交換器に循環させ、加熱された前記湯を前記浴槽に戻すポンプと、
　沸き上げ湯温を設定する温度設定手段と、
　前記循環路を循環する前記湯の温度を検出する温度センサと、
　前記追焚を指令する追焚スイッチと、
　前記温度設定手段により設定温度、前記温度センサから検出湯温、前記追焚スイッチから追焚指令が入力され、前記バーナの燃焼、前記ポンプの運転を制御する制御手段と、
　を備え、前記制御手段が、前記追焚スイッチの操作によりしきい湯温を前記温度設定手段で設定されている設定湯温より一定温度だけ低い値に設定し、この設定の後、前記ポンプを駆動して前記循環路に前記浴槽内の湯を循環させて前記温度センサで検出された湯温を取り込み、この検出湯温が前記しきい湯温か又はそれより低い場合には、前記バーナを燃焼させて追焚運転を行い、前記浴槽内の湯温を前記設定湯温と前記しきい湯温との温度差以上上昇させることにより前記設定湯温に到達させて前記追焚運転を停止し、前記温度センサの前記検出湯温が前記しきい湯温より高い場合には、前記追焚スイッチによる追焚指令を受けて前記追焚運転に移行させ、前記追焚スイッチの一回の操作で前記追焚スイッチの操作時の検出湯温から一定温度だけ湯温を上昇させ、検出湯温が予め設定されている許容上限温度に到達したとき、前記追焚運転を停止することを特徴とする風呂装置。」
　
２．引用例
　当審の拒絶の理由に引用された特開平４−２０７４６号公報（以下、「引用例」という。）には、図面とともに、次の記載がある。
　
・「第１図に示すように、浴槽（１）と、その浴槽（１）に対する湯張状態つまり湯張温度及び湯張水位を調整する調整手段としての本体部（Ａ）と、その本体部（Ａ）を制御する制御部（Ｂ）と、その制御部（Ｂ）に対して指令を与えるリモートコントローラ（Ｃ）とが設けられ、浴槽用湯張装置が構成されている。
　前記本体部（Ａ）には、給湯用熱交換器（２）、給湯用バーナ（３）、追焚用熱交換器（４）、及び、追焚用バーナ（５）の夫々が備えられている。
　そして、給湯用熱交換器（２）に水を供給する給水路（Ｒ１）と、浴槽（１）と追焚用熱交換器（４）とを循環ポンプ（６）を介して接続する戻り湯路（Ｒ２）と、給湯用熱交換器（２）及び追焚用熱交換器（４）から浴槽（１）に湯を供給する給湯路（Ｒ３）とが設けられている。各バーナ（３），（５）で使用するガスはガス供給路（Ｇ１）を通して供給される。このガス供給路（Ｇ１）には、後述する自動湯張モードや追焚モードに応じて開閉制御されるガス用の電磁弁（１７）が設けられ、又、前記両バーナ（３），（５）の夫々には点火用プラグ（１８）が設けられている。
　戻り湯路（Ｒ２）には温度検出手段としての湯温サーミスタ（７）が介装され、又給湯路（Ｒ３）には、浴槽内の水位を検出する水位センサ（８）と、給湯用電磁弁（１５）とが介装され、これらは夫々制御部（Ｂ）に接続されている。
　リモートコントローラ（Ｃ）には、運転スイッチ（９）、自動湯張スイッチ（１０）、追焚スイッチ．（１１）、目標設定手段としての湯温設定スイッチ（１２）及び水位設定スイッチ（１３）の夫々が設けられている。
　浴槽用湯張装置の運転モードには、自動湯張モードと追焚モードとがあり、運転スイッチ（９）をＯＮにした状態において自動湯張スイッチ（１０）あるいは追焚スイッチ（１１）をＯＮ操作するに伴って夫々自動湯張モードあるいは追焚モードを実行するように制御部（Ｂ）に起動指令を与えるようになっている。
　自動湯張モードにおいては、湯温設定スイッチ（１２）にて設定された目標温度（Ｔｓ）、及び、水位設定スイッチ（１３）にて設定された目標水位（Ｌｓ）を目標湯張状態とする。一方、追焚モードにおいては、原則として湯温設定スイッチ（１２）にて設定された目標温度（Ｔｓ）を目標湯張状態とする。
　制御部（Ｂ）は、リモートコントローラ（Ｃ）からの起動指令に伴って、湯張状態が設定目標湯張状態となるように本体部（Ａ）を制御する。
　つまり、制御部（Ｂ）を利用して、制御手段（１００）が構成されている。」（第２頁右下欄第６行−第３頁右上欄第１６行）
　
・「次に、追焚モードにおける目標温度について説明する。
　追焚スイッチ（１１）がＯＮ操作されたときの湯張温度（Ｔｘ）が、湯温設定スイッチ（１２）にて設定された目標温度（Ｔｓ）から所定値（例えば２ｄｅｇ）低い基準温度（Ｔｓ‐２）より低いときは、湯張温度（Ｔｘ）が前記目標温度（Ｔｓ）になるように追焚することになる。
　一方、追焚スイッチ（１１）がＯＮ操作されたときの湯張温度（Ｔｘ）が、前記基準温度（Ｔｓ‐２）より高いときには前記湯張温度（Ｔｘ）より設定値（△Ｔ）高い温度を目標温度として追焚することになる。」（第３頁右上欄第１９行−第３頁左下欄第１２行）
　
・「循環ポンプ（６）を運転して浴槽水の温度を検出する。」（第４頁右上欄第５−６行）
　
・「一方越えている場合は前述の如く追焚操作を行う。つまり、浴槽水温度を検出し、目標温度（Ｔｓ）と検出温度（Ｔｘ）との差が所定値（例えは８ｄｅｇ）を越えている場合には報知フラグ（Ｐ２）を「１」にセットする。又、前記差が所定値（例えば２ｄｅｇ）を越えていない場合には、検出温度（Ｔｘ）と前記設定値（△Ｔ）との和を目標温度として設定する。
　越えている場合は湯温設定スイッチ（１２）にて設定された目標温度（Ｔｓ）をそのまま使用する。そして前記目標温度に達するまで追焚を行い、追焚終了後、報知フラグ（Ｆ２）が「１」であれは報知作動を行う。」（第４頁右下欄第２−１４行）
　
　したがって、引用例には、次の発明が記載されているものと認められる。
　
「 浴槽内の湯を追焚によって加熱する浴槽用湯張装置であって、
　前記浴槽内の湯水をバーナの燃焼により加熱する熱交換器と、
　この熱交換器と前記浴槽とを連結する戻り湯路及び給湯路と、
　この戻り湯路に設けられて前記浴槽内の湯を前記熱交換器に循環させ、加熱された前記湯を前記浴槽に戻す循環ポンプと、
　目標温度設定手段としての湯温設定スイッチと、
　前記戻り湯路に介装された湯温検出手段としての湯温サ−ミスタと、
　前記追焚を指令する追焚スイッチと、
　前記湯温設定スイッチにより目標温度、前記湯温サ−ミスタから検出湯温、前記追焚スイッチから追焚指令が入力され、前記バーナの燃焼、前記循環ポンプの運転を制御する制御手段と、
　を備え、前記制御手段が、前記追焚スイッチの操作により、前記循環ポンプを駆動して前記戻り湯路及び給湯路に前記浴槽内の湯を循環させて前記湯温サ−ミスタで検出された湯温を取り込み、この検出湯温が前記湯温設定スイッチで設定されている目標温度より一定温度だけ低い基準温度より低い場合には、前記バーナを燃焼させて追焚運転を行い、前記浴槽内の湯温を前記目標温度と前記基準温度との温度差以上上昇させることにより前記目標温度に到達させて前記追焚運転を停止し、前記湯温サ−ミスタの前記検出湯温が前記基準温度より高い場合には、前記追焚スイッチによる追焚指令を受けて前記追焚運転に移行させ、前記追焚スイッチの一回の操作で前記追焚スイッチの操作時の検出湯温から一定温度だけ湯温を上昇させる浴槽用湯張装置」（以下、「引用例発明」という。）。
　
３．対比
　本願発明と引用例発明とを対比すると、
　
　引用例発明の「戻り湯路及び給湯路」は本願発明の「循環路」に相当し、以下同様に、「循環ポンプ」は「ポンプ」に、「目標温度設定手段としての湯温設定スイッチ」は「沸き上げ湯温を設定する温度設定手段」に、「湯温検出手段としての湯温サ−ミスタ」は「湯の温度を検出する温度センサ」に、「目標温度」は「設定湯温」に、「基準温度」は「しきい湯温」に、また、「浴槽用湯張装置」は「風呂装置」にそれぞれ相当するから、
　
　両者は、
　
「 浴槽内の湯を追焚によって加熱する風呂装置であって、
　前記浴槽内の湯水をバーナの燃焼により加熱する熱交換器と、
　この熱交換器と前記浴槽とを連結する循環路と、
　この循環路に設けられて前記浴槽内の湯を前記熱交換器に循環させ、加熱された前記湯を前記浴槽に戻すポンプと、
　沸き上げ湯温を設定する温度設定手段と、
　前記循環路を循環する前記湯の温度を検出する温度センサと、
　前記追焚を指令する追焚スイッチと、
　前記温度設定手段により設定温度、前記温度センサから検出湯温、前記追焚スイッチから追焚指令が入力され、前記バーナの燃焼、前記ポンプの運転を制御する制御手段と、
　を備え、前記制御手段が、前記追焚スイッチの操作により、前記ポンプを駆動して前記循環路に前記浴槽内の湯を循環させて前記温度センサで検出された湯温を取り込み、この検出湯温が前記温度設定手段で設定されている設定湯温より一定温度だけ低いしきい湯温より低い場合には、前記バーナを燃焼させて追焚運転を行い、前記浴槽内の湯温を前記設定湯温と前記しきい湯温との温度差以上上昇させることにより前記設定湯温に到達させて前記追焚運転を停止し、前記温度センサの前記検出湯温が前記しきい湯温より高い場合には、前記追焚スイッチによる追焚指令を受けて前記追焚運転に移行させ、前記追焚スイッチの一回の操作で前記追焚スイッチの操作時の検出湯温から一定温度だけ湯温を上昇さる風呂装置」
　
の点で一致し、次の点で相違する。
　
［相違点１］本願発明では、「制御手段が、追焚スイッチの操作によりしきい湯温を温度設定手段で設定されている設定湯温より一定温度だけ低い値に設定し、この設定の後、」湯温の検出及び追焚運転を行うのに対して、引用例発明では、追焚スイッチの操作により前記しきい湯温を設定し、この設定の後、湯温の検出及び追焚運転を行うとの限定がない点。
　
［相違点２］本願発明では、「しきい湯温か又はそれより低い場合には、」設定温度まで到達させる追焚運転を行うのに対して、引用例発明では、「しきい湯温より低い場合には、」前記追い焚き運転を行う点。
　
［相違点３］本願発明では、「検出湯温が予め設定されている許容上限温度に到達したとき、追焚運転を停止する」のに対して、引用例発明では、このような限定がない点。
　
４．判断
　上記相違点について検討する。
　相違点１について、
　引用例発明においても、「温度設定手段で設定されている設定湯温より一定温度だけ低い」しきい湯温を基準にして、設定温度まで到達させる追焚運転を行うか、一定温度だけ湯温を上昇させる追焚運転を行うかを判断している。
　
　引用例発明において、「追焚スイッチの操作により前記しきい湯温を設定し、この設定の後、湯温の検出及び追焚運転を行う」ことは、単なる設計事項である。　
　
　相違点２について、
　引用例発明において、設定温度まで到達させる追焚運転を、「しきい湯温より低い場合には、」行うことに代えて、「しきい湯温か又はそれより低い場合には、」行うことは、単なる設計事項である。
　
　相違点３について、
　「検出湯温が予め設定されている許容上限温度に到達したとき、追焚運転を停止する」点は従来周知の技術である（例えば、実願昭６３−１７１１９８号（実開平２−８８６３０号）のマイクロフィルム（第８頁第１５−１７行）を参照のこと。）。
　
　引用例発明に、上記従来周知の技術を適用し、本願発明の構成とすることは、当業者が容易に想到し得たものである。
　
　そして、本願発明の作用効果も、引用例に記載された発明、及び、従来周知の技術から当業者が予測できる範囲のものである。
　
５．むすび
　したがって、本願発明は、引用例に記載された発明、及び、従来周知の技術に基づいて、当業者が容易に発明をすることができたものであるから、特許法第２９条第２項の規定により特許を受けることができない。
　
　よって、結論のとおり審決する。